(57)【要約】      （修正有）【課題】複数のスクリューユニットを第２軸で支持したスクリュー構造体の一端部を軸受で支持する際に、軸方向移動が阻止された状態で支持する。【解決手段】スクリューユニットにおける第１軸２２の第２軸挿通孔２６と、その挿通孔２６に嵌着可能な断面方形な第２軸３１と、その軸３１が嵌着可能な断面方形な支持孔４６を有するコマ体４５と、コマ体４５を回転自在に支持する軸受部４１とを備え、  軸受部４１は基盤に設置され、隣接するスクリューユニット２０は、それぞれの軸体２３の第２軸挿通孔２６に第２軸３１の両端部を嵌着することにより互いに連結して支持され、端部に位置するスクリューユニット２０から突出する第２軸３１はコマ体４５の支持孔４６に嵌着され、コマ体４５は軸受部４１に回転自在に支持され、コマ体４５を介して軸受部４１に支持された第２軸３１の端面は、軸受部４１に設けた受材４７によりその軸方向移動が阻止される。【選択図】図１
2008220682.tif 000002
【特許請求の範囲】
【請求項１】
軸部(23) の外周に螺旋翼(24) が一体成型されると共に、その軸線上に第１軸挿通孔(25)が形成された樹脂製の複数のスクリューエレメント(21) と、それぞれの前記第１軸挿通孔(25) に挿通され、複数の前記スクリューエレメント(21) を軸方向に互いに密着して整列する断面外周が方形で且つ、その軸線上に内周の断面が方形な第２軸挿通孔(26) を有する第１軸(22) とによりスクリューユニット(20) を構成し、複数の前記スクリューユニット(20) が断面方形の第２軸(31) の両端部を前記第２軸挿通孔(26) に挿通することにより互いに連結して構成されるスクリュー構造体(32) の支持構造であって、
前記第２軸(31) が嵌着可能な断面方形な支持孔を有するコマ体(45) と、前記コマ体(45)を回転自在に支持する軸受部(41) とを備え、
前記軸受部(41) は基盤(40) に設置され、端部に位置するスクリューユニット(20) から突出する前記第２軸(31) は前記コマ体(45) の支持孔(46) に嵌着され、前記コマ体(45) は前記軸受部(41) に回転自在に支持され、前記コマ体(45) に嵌着された前記第２軸(31)の端面は、軸受部(41) に設けた受材(47) によりその軸方向移動が阻止されるように構成されていることを特徴とするスクリュー構造体の支持構造。
【請求項２】
請求項１において、前記スクリュー構造体(32)の支持構造は、遊技場におけるタバコの吸殻処理装置を構成するスクリュー構造体を支持するために用いられることを特徴とするスクリュー構造体の支持構造。
【発明の詳細な説明】
【技術分野】
【０００１】
本発明は遊技場におけるタバコの吸殻処理装置を構成する吸殻搬送体等に利用できるスクリュー構造体に関する。
【背景技術】
【０００２】
例えば、多くのパチンコ店では、多数のパチンコ機やスロット機などの遊技具を島状の設置部に配列し、その設置部の前面下部に細長いカウンターを設け、カウンターに沿って吸殻処理装置が設けられる。吸殻処理装置はカウンター上の遊技具ごとに設けた灰皿と、各灰皿と連通する細長い吸殻搬送部を備えている。タバコの吸殻はスノコ状の灰皿の底から落下孔を通過して吸殻搬送部に落下し、横方向に搬送されて吸殻回収部に回収される。このような吸殻処理装置は例えば特許文献１に記載されている。
【０００３】
図７は吸殻処理装置の１例を示す部分断面図である。吸殻処理装置１はカウンターの下側に沿って設けられた細長い板状のテンプレート２と、テンプレート２の下面に平行して取付けられた細長い樋体３と、テンプレート２と樋体３で囲まれた細長い空間に沿って配置されたスクリュー構造体４を備えている。なおテンプレート２には遊技具５ごとに設けられる灰皿の底部に開口する落下孔６が設けられる。
【０００４】
スクリュー構造体４は軸体７とその周囲に沿って連続して設けた螺旋翼８を有し、軸体７の一方の端部は継手９を介して駆動モータ１０に連結され、他方の端部は軸受部１１に軸支される。軸受部１１の下方に吸殻回収部１２が配置される。吸殻回収部１２は上方が開放された箱体１３により構成され、箱体１３の両側面に取手１４が設けられる。そして箱体１３上方に延長する前記樋体３の底部に開口部１５が形成される。
【０００５】
図示しない灰皿からのタバコの吸殻は落下孔６を通して樋体３内に落下し、駆動モータ１０により低速回転するスクリュー構造体４の搬送作用により左方に搬送され、軸受部１１近傍まで搬送された吸殻は開口部１５から吸殻回収部１２の箱体１３内に落下する。箱体１３内には火の付いた吸殻を消火するために所定レベルまで水が収容されている。
【０００６】
上記スクリュー構造体４は軽量化および低コスト化等から樹脂成形により製造することが望ましい。樹脂成形によりスクリュー構造体４を製造するには、例えば螺旋翼部分を複数に分割成形し、成形に際して軸部の中心に第１軸挿通孔を形成しておき、細長い金属製の丸棒を複数の螺旋翼部分の第１軸挿通孔に順次挿通し、各螺旋翼部分から丸棒にピンを差し込むか、ビスをねじ込むことにより、それらの共回りを防止する方法が考えられる。
【０００７】
しかしこのような連結方法を採用すると、スクリュー構造体が回転する際に生じる周方向の応力がピン部分に集中し、ピンやビスの周辺の樹脂に亀裂を生じ、場合によっては該部分が破断して螺旋翼部分の分解や連結はずれを起こすおそれがある。そこでこれらの問題を解決するため、本発明者はピンやビス等の連結具を用いずに樹脂製のスクリュー構造体を発明し、別途特許出願した。
【０００８】
上記発明したスクリュー構造体を構成するには、先ず複数のスクリューエレメントを整列したスクリューユニットを複数用意し、それらスクリューユニットを互いに第２軸で連結する。具体的には、軸部の外周に螺旋翼が一体成形された樹脂製の複数のスクリューエレメントと、前記複数のスクリューエレメントを軸方向に互いに密着して整列する断面が方形な金属製の第１軸を備え、各スクリューエレメントの軸部にはその軸線上に断面が方形な第１軸挿通孔を形成し、それら第１軸挿通孔に前記第１軸を貫通することによりスクリューユニットを構成する。
【０００９】
次に、複数のスクリューユニットを軸方向に連結する。その際、前記第１軸には軸方向に断面が方形な第２軸挿通孔を形成し、隣接するスクリューユニットの第２軸挿通孔間に断面が方形な金属製の第２軸の両端部を嵌着する。これにより複数のスクリューユニットが互いに連結されたスクリュー構造体が得られる。
【００１０】
【特許文献１】特開平８−１０４３７号公報
【発明の開示】
【発明が解決しようとする課題】
【００１１】
上記方法では、ユニットの端部に位置する樹脂エレメントと第１軸との位置決めを除いて、連結にピンやビスなどの連結具を用いずに、樹脂製スクリューエレメントを多数第１軸で密着整列して支持することによりスクリューユニットを構成し、さらに複数のスクリューユニットを互いに第２軸で連結して支持し、長いスクリュー構造体を構成している。このように構成されたスクリュー構造体は、例えば遊技場におけるタバコの吸殻処理装置を構成するスクリュー構造体として用いることができる。その際、このスクリュー構造体を吸殻処理装置の基盤の所定位置に配置し、その端部から突出する第２軸の一方を駆動モータの出力軸に連結し、他方を軸受部に回転自在に支持させる。
【００１２】
しかし前記のスクリュー構造体は、スクリューユニットの断面方形な第２軸挿通孔に第２軸を連結して構成されているので、例えばスクリュー構造体が回転して吸殻などを搬送する際に発生する軸方向の応力（スラスト応力）により第２軸が軸方向に移動すると、スクリューユニットと第２軸との間が切り離されるおそれがある。そのためスクリュー構造体の端部から突出する第２軸を軸受部の挿入孔に単に挿入しただけでは、第２軸が軸方向に移動したときにスクリュー構造体の端部が軸受部から脱落する可能性もある。
【００１３】
そこで本発明は、このような特殊な構成からなるスクリュー構造体における支持についての問題を解決することを課題とし、そのために好適な支持構造および支持方法を提供することを目的とする。
【課題を解決するための手段】
【００１４】
請求項１に記載の本発明は、軸部(23)の外周に螺旋翼(24)が一体成形されると共に、その軸線上に第１軸挿通孔(25)が形成された樹脂製の複数のスクリューエレメント(21)と、それぞれの前記第１軸挿通孔(25)に挿通され、複数の前記スクリューエレメント(21)を軸方向に互いに密着して整列する断面外周が方形で且つ、その軸線上に内周の断面が方形な第２軸挿通孔(26)を有する第１軸(22)とによりスクリューユニット(20)を構成し、複数の前記スクリューユニット(20)が断面方形の第２軸(31)の両端部を前記第２軸挿通孔(26)に挿通することにより互いに連結して構成されるスクリュー構造体(32)の支持構造であって、
前記第２軸(31)が嵌着可能な断面方形な支持孔を有するコマ体(45)と、前記コマ体(45)を回転自在に支持する軸受部(41)とを備え、
前記軸受部(41)は基盤(40)に設置され、端部に位置するスクリューユニット(20)から突出する前記第２軸(31)は前記コマ体(45)の支持孔(46)に嵌着され、前記コマ体(45)は前記軸受部(41)に回転自在に支持され、前記コマ体(45)に嵌着された前記第２軸(31)の端面は、軸受部(41)に設けた受材(47)によりその軸方向移動が阻止されるように構成されていることを特徴とするスクリュー構造体の支持構造である。
【００１５】
請求項２に記載の本発明は、請求項１において、前記スクリュー構造体(32)の支持構造は、遊技場におけるタバコの吸殻処理装置を構成するスクリュー構造体を支持するために用いられることを特徴とするスクリュー構造体の支持構造である。
【発明の効果】
【００１６】
本発明のスクリュー構造体の支持構造は、請求項１に記載のように、端部に位置するスクリューユニットから突出する第２軸がコマ体の支持孔に嵌着され、そのコマ体を介して軸受部に支持された第２軸の端面が軸受部に設けた受材によりその軸方向移動を阻止されるようになっている。このように構成すると、スクリュー構造体が軸受部から脱落するおそれがなくなる。またスクリュー構造が回転して吸殻などを搬送する際に生じる軸方向の応力も受材により受け止めることができる。
【００１７】
また、複数のスクリューエレメントを第１軸で互いに直列接続することによりスクリューユニットを構成するので、容易に一体成形ができる軸長の短いスクリューエレメントと第１軸だけで、適宜長のスクリューユニットを容易に構成できる。
【００１８】
本発明のスクリュー構造体の支持構造は、請求項２に記載のように、遊技場におけるタバコの吸殻処理装置を構成するスクリュー構造体の支持構造として用いられることができる。パチンコ店などの遊技場に設置されるスクリュー構造体の軸長はかなり長いので、軸長を自由に選択できる本発明に係るスクリュー構造体が好適に利用でき、そのスクリュー構造体を前記支持構造により安定して支持することができる。
【発明を実施するための最良の形態】
【００１９】
次に、図面に基づいて本発明の最良の実施形態を説明する。図１は本発明の支持構造の要部分解斜視図であり、図２はその組立状態を示す一部破断要部正面図、図３は図２のIII−III矢視断面図、図４は図２のIV−IV断面略図、図５はそのスクリューエレメント２１の正面図および側面図であり、図６はそのスクリューユニットの接続部である。
【００２０】
図１、図６に示す如く、スクリューユニット２０は樹脂製のスクリューエレメント２１と断面が方形な金属製の第１軸２２を備えている。スクリューエレメント２１は軸部２３とその外周に形成した螺旋翼２４を有し、射出機械の金型で一体的に樹脂成形して作ることができる。第１軸２２は金属ブロックを押出成形して作ることができるが、材料金属としては、押出性のよいアルミニウムまたはその合金を用いることが望ましい。なお第１軸２２は樹脂製であってもよい。
【００２１】
スクリューユニット２０を構成するには複数のスクリューエレメント２１を直列に密着接続させる。スクリューエレメント２１の軸部２３には、その軸線上に貫通する断面が方形な第１軸挿通孔２５が形成され、その第１軸挿通孔２５に第１軸２２を嵌通するようになっている。複数のスクリューユニット２０を互いに軸方向に連結するため、第１軸２２の少なくとも端部には後述する第２軸を嵌着するための断面方形な第２軸挿通孔２６がその軸線上に形成されている。また、図５（Ａ）の如く、スクリューエレメント２１の軸部２３には、後述するストッパ部材３０を挿入する挿通孔２７が設けられる。
なお第１軸２２の両端付近にもこの挿入孔２７に対応して挿通孔２８を形成することができる。あるいは、多数のスクリューエレメントを第１軸２２に装着後に、その両端部のスクリューエレメント２１の挿通孔２７に穿孔機の回転するドリル刃を挿入して、第１軸に挿通孔２８を形成できる。
【００２２】
図５に示す如く、スクリューエレメント２１の螺旋翼２４は軸部２３の周方向に２７０度分だけ形成され、残りが切欠状態になっている。螺旋翼２４の両端は軸部２３の両端に一致しており、その縁面２９は軸部２３から半径方向に延長した状態とされる。このように構成すると、後述するように複数のスクリューエレメント２１を軸方向に接続する際に、隣接するエレメントに対して９０度回転して、互いに螺旋翼２４が密着して連続した１つの細長い螺旋翼が形成できると共に、スクリューエレメント２１の一体成形が可能になり、成形用の金型も簡単化できるという利点がある。
【００２３】
図５（ｂ）に示すように、本実施形態では前記第１軸挿通孔２５の断面形状が正方形に形成されている。なお第１軸挿通孔２５の断面形状をこのように正方形とする場合は、それに整合させて嵌入する第１軸２２の断面形状も正方形とする。スクリューエレメント２１の寸法は目的に合わせて任意に設定できるが、遊技場のタバコの吸殻処理として用いる場合の代表的な寸法範囲としては、軸部２３の軸長：３５〜５０ｍｍ、軸部２３の直径：１４〜１８ｍｍ、軸部２３に設けた正方形の第１軸挿通孔６の辺長：４〜７ｍｍ、螺旋翼２４の最大径：４０ｍｍ〜５０ｍｍ程度に設定される。
【００２４】
スクリューユニット２０の軸長（単位長）を、例えば１ｍに設定するには、第１軸２２の軸長も同じく１ｍに設定される。その場合、スクリューエレメント２１の軸部２３の軸長が５０ｍｍであれば、第１軸２２にスクリューエレメント２１を２０個密着して直列接続させることにより、長さ１ｍのスクリューユニット２０が形成される。第１軸２２における断面正方形の４つの辺長は、前記第１軸挿通孔２５に比較的スムーズに押し込んで嵌入できるように、その挿通孔２５より僅かに小に形成することが望ましい。
【００２５】
図６に示すように、１本の第１軸２２により複数のスクリューエレメント２１が互いに密着した状態で整列されてスクリューユニット２０が構成されるが、このようにスクリューユニット２０を構成するには、先ず第１軸２２をスクリューエレメント２１の第１軸挿通孔２５に順次押し込みながら嵌入する。その際、隣接する螺旋翼２４の縁面２９を互いに密着させることにより、連続した細長い螺旋体が形成され、スクリューユニット２０が完成する。
【００２６】
上記のように形成した複数のスクリューユニット２０を後述する第２軸を介して互いに連結することにより、所望の軸長のスクリュー構造体とすることができる。その際、第２軸が第２軸挿通孔２６の端部から内部へ移動することを阻止するために、スクリューエレメント２１における軸部２３の外周から挿通孔２７および第１軸２２の挿通孔２８を通して金属製のピン等のストッパ部材３０を挿入しておく。
【００２７】
図４は割りピンをストッパ部材３０として用いたものであり、そのストッパ部材３０をスクリューエレメント２１の軸部２３の外周からその挿通孔２７および第１軸２２の挿通孔２８を通して装着し、２本足の先端部をその外周面に沿って折り返したものである。
【００２８】
図６は、スクリューユニット２０を第２軸３１で互いに連結することにより形成したスクリュー構造体３２の一部破断要部正面図である。
第２軸３１は断面が方形な金属製の短い軸体であり、例えばアルミニウム材、鉄またはステンレス等の鉄系合金のような高強度の金属を加工して作ることができる。第２軸３１はこのように金属製とすることが望ましいが、樹脂製とすることもできる。第２軸３１をスクリューユニット２０に連結するには、スクリューユニット２０の端部における第１軸２２の第２軸挿通孔２６に第２軸３１の先端部を押し込んで嵌着する。その際、前記のように第２軸挿通孔２６の端部から所定位置にはストッパ部材３０が装着されているので、第２軸３１は第２軸挿通孔２６の所定位置より奥には進入（もしくは移動）できないようになっている。
【００２９】
第２軸３１の一方の端部は図示のように一方のスクリューユニット２０の端部に連結され、他方の端部は他のスクリューユニット２０の端部に連結される。または他方の端部がスクリュー構造体３２の端部になるときは、図７に示す如く、駆動モータに連結されるか、または軸受部に軸支される。
【００３０】
図１〜図３は本発明に係るスクリュー構造体３２の支持構造を示すものである。スクリュー構造体３２を例えば遊技場に設置される吸殻処理装置に利用する場合は、その設置用の基盤４０（テンプレート２）の下面にスクリュー構造体３２を配置し、その一端部を図示のように金属製の軸受部４１で回転自在に支持し、他端部は駆動モータに連結支持する。軸受部４１は２つのビス４２（図３）で、基盤に着脱自在に設置され、その下部に軸線方向に貫通する断面円形な支持孔４３（図１）が形成されている。
【００３１】
スクリュー構造体３２を構成する第１軸２２の端部から第２軸３１が突出するが、突出した第２軸３１の先端から円板４４を挿入して第１軸２２の端部に密着させる。円板４４は、第２軸３１に整合する矩形孔を有し、耐摩耗性および潤滑性の高い材料、例えばポリアミド樹脂にフッ素樹脂を混合した樹脂を成形した板材を用いることが望ましい。
【００３２】
円板４４から突出した第２軸３１部分はコマ体４５を介して軸受部４１の支持孔４３に回転自在に支持される。コマ体４５は円柱状とされ、その中心部に第２軸３１に嵌着可能な断面方形な支持孔４６が設けられている。円板４４から突出している第２軸３１の長さは、支持孔４３の深さより僅かに小である。また、コマ体４５の軸長は軸受部４１の支持孔４３の深さに一致している。なおコマ体４５は耐摩耗性および潤滑性の高い材料、例えば円板４４と同じものを使用してもよい。
【００３３】
図２はスクリュー構造体３２の一端部を軸受部４に回転自在に支持した状態を示す一部破断部分正面図である。同図のようにスクリュー構造体３２を支持するには、図１に示すように、例えば、先ず第２軸３１が円板４４から突出している部分にコマ体４５を押し込んで嵌着し、コマ体４５を軸受部４１の支持孔４３に挿入する。次に、受け材４７および軸受部４１を2本のビス４２で基盤４０に固定すればよい。なおスクリュー構造体３２の一端部を軸受部４１に支持する際に、スクリュー構造体３２が軸方向に移動可能な場合は、軸受部４１を最初から基盤に固定しておいてもよい。
【００３４】
図２のように軸受部４１に支持された第２軸３１とコマ体４５は、その端面が軸受部４１の支持孔４３の開口に露出する。その露出部分を受材４７で覆っている。前記のように、例えばスクリュー構造体が回転して吸殻などを搬送する際に発生する軸方向の応力（スラスト応力）などにより第２軸３１が軸方向に移動すると、スクリューユニット２０と第２軸３１との連結が切り離されるおそれがある。
【００３５】
しかし、図２のように第２軸３１の端面を覆うように受材４７を取り付けると、第２軸３１の軸移動が防止される。軸受部４１に受材４７を取り付ける方法には接着、ビス止等がある。なお、受材４７は予め軸受部４１に取り付けておいてもよい。さらには、受材４７と軸受部４１を一体に形成してもよい。また、受材４７は耐摩耗性および潤滑性の高い材料、例えば円板４４と同じものを使用することが望ましい。
【産業上の利用可能性】
【００３６】
本発明のスクリュー構造体の支持構造は、例えば遊技場におけるタバコの吸殻処理装置に利用できる。
【図面の簡単な説明】
【００３７】
【図１】本発明のスクリュー構造体の支持構造の要部分解斜視図。
【図２】同組立状態を示す一部破断要部正面図。
【図３】図２のIII−III矢視図。
【図４】図２のIV−IV矢視図。
【図５】スクリューエレメントの正面図および側面図。
【図６】同スクリュー構造体３２を構成するスクリューユニットの接続状態を示す一部破断要部正面図
【図７】吸殻処理装置の１例を示す説明図。
【符号の説明】
【００３８】
１  吸殻処理装置
２  テンプレート
３  樋体
４  吸殻搬送体
５  遊技具
６  落下孔
７  軸体
８  スクリュー構造体
９  継手
１０  駆動モータ
１１  軸受部
１２  吸殻回収部
１３  箱体
１４  取手
１５  開口部
【００３９】
２０  スクリューユニット
２１  スクリューエレメント
２２  第１軸
２３  軸部
２４  螺旋翼
２５  第１軸挿通孔
２６  第２軸挿通孔
２７、２８  挿通孔
２９  縁面
３０  ストッパ部材
３１  第２軸
３２  スクリュー構造体
【００４０】
４０  基盤
４１  軸受部
４２  ビス
４３  支持孔
４４  円板
４５  コマ体
４６  支持孔
４７  受材
４８  ビス孔
４９  フランジ部
５０  欠切部
【図１】
2008220682.tif 000003
【図２】
2008220682.tif 000004
【図３】
2008220682.tif 000005
【図４】
2008220682.tif 000006
【図５】
2008220682.tif 000007
【図６】
2008220682.tif 000008
【図７】
2008220682.tif 000009